(57)【要約】【課題】ショーケースを複数台接続して迫力ある同じ映像と音声を同時に発生させることが可能な展示システムを提供することにある。【解決手段】ショーケース１は、本体上部２、本体中央部３及び本体下部４に大別され、見やすいように台形状となっている。本体上部２は、３つの映像表示装置２ａ、２ｂ及び２ｃと上部スピーカが取り付けられており、ＤＶＤプレーヤからの同じ映像と音声を同時に再生する。左端の１つのショーケース１をマスター装置とし、直列的にスレーブ装置１〜スレーブ装置Ｎを同軸ケーブル１１でＡＶ出力端子８とＡＶ入力端子７を接続することにより、遊技ホールや展示会場でのデモンストレーションシステムを構築することができる。なお、入力切替スイッチ６は、マスター装置がＡＶ入力端子７とし、スレーブ装置がＡＶ出力端子８を選択すると、同じ映像と音楽を再生することができる。【選択図】図８
2006296786.tif 000002
【特許請求の範囲】
【請求項１】
映像再生装置により再生された映像信号に基づいて映像を映像表示装置で表示するとともに、前記映像再生装置により再生された音声信号に基づいて音声をスピーカから発生するショーケースにおいて、
外部からの映像信号及び音声信号を入力するＡＶ入力端子と、
前記映像再生装置又は前記ＡＶ入力端子から入力される信号を選択する入力切替スイッチと、
前記映像再生装置又は前記ＡＶ入力端子から入力される信号のいずれか一つを外部へ出力するＡＶ出力端子とを具備し、
前記入力切替スイッチが前記映像再生装置からの信号を選択した場合、前記映像表示装置は前記映像再生装置により再生された映像信号に基づいて映像を表示し及び前記スピーカは前記映像再生装置により再生された音声信号に基づいて音声を発生するとともに、前記ＡＶ出力端子は前記映像再生装置から入力された信号を外部へ出力する一方、前記入力切替スイッチが前記ＡＶ入力端子からの信号を選択した場合、前記映像表示装置は前記ＡＶ入力端子からの映像信号に基づいて映像を表示し及び前記スピーカは前記ＡＶ入力端子からの音声信号に基づいて音声を発生するとともに、前記ＡＶ出力端子は前記ＡＶ入力端子から入力された信号を外部へ出力すること、
を特徴とするショーケース。
【請求項２】
主たるショーケースと従たるショーケースとからなる展示システムであって、
前記主たるショーケース及び前記従たるショーケースは、映像再生装置により再生された映像信号に基づいて映像を映像表示装置で表示するとともに、前記映像再生装置により再生された音声信号に基づいて音声をスピーカから発生させ、
外部からの映像信号及び音声信号を入力するＡＶ入力端子と、
前記映像再生装置又は前記ＡＶ入力端子から入力される信号を選択する入力切替スイッチと、
前記映像再生装置又は前記ＡＶ入力端子から入力される信号のいずれか一つを外部へ出力するＡＶ出力端子とを具備し、
前記主たるショーケースのＡＶ出力端子と前記従たるショーケースのＡＶ入力端子とを信号線で接続した状態で、前記主たるショーケースの前記入力切替スイッチが前記映像再生装置からの信号を選択した場合、前記映像表示装置は前記映像再生装置により再生された映像信号に基づいて映像を表示し及び前記スピーカは前記映像再生装置により再生された音声信号に基づいて音声を発生するとともに、前記ＡＶ出力端子は前記映像再生装置から入力された信号を外部へ出力し、並びに、前記従たるショーケースの前記入力切替スイッチが前記ＡＶ入力端子からの信号を選択した場合、前記映像表示装置は前記ＡＶ入力端子からの映像信号に基づいて映像を表示し及び前記スピーカは前記ＡＶ入力端子からの音声信号に基づいて音声を発生するとともに、前記ＡＶ出力端子は前記ＡＶ入力端子から入力された信号を外部へ出力することにより、前記主たるショーケース及び前記従たるショーケースは同じ映像と音声を再生すること、
を特徴とする展示システム。
【発明の詳細な説明】
【技術分野】
【０００１】
本発明は、展示物を飾るショーケースに係り、更に詳しくは、回転テーブルにキャラクタ人形などのフィギュアやゲームパッケージを載置するとともに、映像再生装置（ビデオＣＤやＤＶＤプレーヤ）からの映像信号と音声信号を液晶やＰＤＰ（プラズマ・ディスプレイ・パネル）などの映像表示装置及びスピーカで再生して、パチンコやパチスロ等の遊技ホールでデモンストレーションを行って遊技機の販促活動に利用するショーケースに関する。
【０００２】
また、映像再生装置により再生された映像信号に基づいて映像を映像表示装置で表示するとともに、前記映像再生装置により再生された音声信号に基づいて音声をスピーカから発生するショーケースと、主たるショーケースと従たるショーケースとからなる展示システムに関する。
【背景技術】
【０００３】
近年、パチンコ機だけではなく、パチスロ機（回胴式遊技機）と称される遊技機を用いた遊技が、従来のパチンコホールやパチスロ専用ホールで盛んに行われている。
【０００４】
例えば、この回胴式遊技機における遊技では、遊技者がメダル（遊技媒体）を所定枚数投入した後、スタートレバーを操作すると、そのタイミングでボーナスゲームや複数の小役の内部当り抽選を実行し、複数の回胴を回転させて、回胴上に表示された複数の図柄（通常、この複数の図柄は、３つのドラム上に貼り付けられている。）を変動させる変動表示ゲームを開始するとともに、特定図柄（例えば、赤７図柄や青７図柄）が有効ライン上に揃った場合に、遊技者にとって最も有利なゲームモードであるビッグボーナスゲームモード（ＢＢゲームモード）に突入する。
【０００５】
そして、このビッグボーナスゲーム（ＢＢゲーム）においては、小役ゲームが所定数回（例えば、３０回）消化されるか又はレギュラーボーナスゲーム（ＲＢゲーム又はジャックゲーム）が所定数回（例えば、３回）実行されると、ＢＢゲームモードが終了するようになっており、その結果、３００枚〜７００枚程度のメダルが払い出される。
【０００６】
さらに、特定図柄としてバー図柄が有効ライン上に揃った場合には、ＲＢゲームが１回だけ実行され、ＢＢゲームには及ばないものの、１００数十枚程度のメダルを獲得できるようになっている。
【０００７】
また、パチンコ機においてもパチスロ機と同様のことが言え、スタートチャッカーにパチンコ球（遊技媒体）が入賞すると、そのタイミングで大当り抽選を実行し、液晶表示装置や外周面に複数の図柄が描かれた回転ドラムに表示された複数の図柄を変動させる変動表示ゲームを開始するとともに、同一図柄（例えば、確率変動となる赤７図柄や奇数図柄）が１つ乃至３つ程度の有効ライン上に揃った場合には、遊技者にとって最も有利な大当り（一般に、普通大当りと確率変動大当りがある）が発生し、１度の大当りゲームを終了すると、２０００個〜３０００個程度のパチンコ球が払い出される。
【発明の開示】
【発明が解決しようとする課題】
【０００８】
ところで、遊技者がパチスロ等の遊技を行う目的や最大の関心事は、このボーナスゲームや大当りを引いて大量の遊技媒体を獲得することであり、例えば、パチスロ機においては「北斗の拳」（サミー）や「吉宗」（大都技研）が、また、パチンコ機においては「大海物語」（三洋物産）、「大ヤマト２」（ＳＡＮＫＹＯ）や「新世紀エヴァンゲリオン」（ビスティ）が大量獲得機として爆発的にヒットしている。特に、「北斗の拳」はギネスブックにも申請されている様に、１００万台に迫る記録的且つ空前のヒット商品であり、遊技機メーカとしては生き残りを掛けてこの状況を打破しなければならない。なお、製品名及び社名は全て登録商標である。
【０００９】
この様な状況で、本願出願人は、風俗営業等の規制及び業務の適正化等に関する法律（最終改正：平成一五年五月三〇日法律第五五号）に適合し、且つ長時間の遊技に耐える様にゲーム性を向上させた新筐体（パチスロ機）を現在開発しているのであるが、その遊技性や優位性、ゲーム性、趣向性を広く知らしめるためには、遊技ホールにおいて販促活動の工夫が更に必要であると判断した。
【００１０】
本発明は、上記の問題点を解決する為になされたものであり、新機種のキャラクタ人形などを回転テーブルに載せ、プロモーションビデオを遊技ホールでデモンストレーションすることにより、遊技機の販促活動を容易に行うことが可能なショーケースを提供することを目的とする。
【００１１】
また、ショーケースを複数台接続して迫力ある同じ映像と音声を同時に発生させることが可能な展示システムを提供することを目的とする。
【００１２】
なお、従来の回転テーブルを有するショーケースや展示システムとしては第１従来技術（特許文献１）があり、「揺動することに特徴を有するペンダントなどの装身具を飾る装身具用の展示台基台を提供する」ことを課題とし、「装身具を飾る展示台を載置する載置テーブルの裏面に支持軸と接触ピンと係止片とばねとを取り付け、ハウジング内にブリッジされる支持支柱には軸孔と、駆動軸の側面に作動片を形成した駆動モータと、載置テーブルの回転を係止するストッパーとからなる揺動装置を収容し、駆動軸の回転により作動片を接触片に接触させて載置テーブルを回転する一方、作動片が離れるとばねの力で載置テーブルは元の位置に戻される。この往復運動により展示台に飾られた装身具を揺動する。」という装身具用展示台基台が出願公開されている。
【００１３】
第２従来技術（特許文献２）としては、「複数台の送風機を備えたオープンショーケースの電源負担を軽減する」ことを課題とし、「オープンショーケース１は、貯蔵室３９の開口部５１にエアーカーテンを形成するための複数台の送風機４５Ａ、４５Ｂを備えたものであって、各送風機をそれぞれ駆動するＤＣモータ５６、５７と、各ＤＣモータを制御する制御装置とを備え、この制御装置は、各ＤＣモータを起動する際、所定のＤＣモータから順次起動して行くと共に、既に起動したＤＣモータの回転数を低く維持した状態で、他のＤＣモータを起動させる。」というオープンショーケースが出願公開されている。
【００１４】
第３従来技術（特許文献３）としては、「突出しテーブルを引き出したときには上バンパーと同じ高さにして商品を陳列しやすくし、折りたたんだときには邪魔にならないようにバンパーの前面先端より内側に収納できる構造の突出しテーブルを有するものを提供する。」ことを課題とし、「ショーケース１の前面壁２ａに上バンパー１１と、支持棒２９と、この支持棒２９を支点として回転するように支持棒２９に取り付けられたヒンジ２１と、このヒンジ２１の他端に取り付けられこのヒンジ２１と共に下方向に回転し折りたたむことができる突出しテーブル１３とを有するショーケースにおいて、該支持棒２９が上バンパー１１の内側に位置し、突出しテーブル１３の上面と上バンパー１１の上面とがほぼ同一面となるように、ヒンジ２１の支点を位置決めしたものである。」というショーケースが出願公開されている。
【００１５】
第４従来技術（特許文献４）としては、「ショーケースの前面のガラス板を安価な構造で安全に開閉することができ、かつ客がなんら不安感や不快感を抱くことなく商品を吟味することのできるショーケースを提供する。」ことを課題とし、「前面に開閉可能なガラス板６を備えたショーケースにおいて、ガラス板６の上端７をショーケース本体１の前面上縁３に上下方向に可動かつショーケース本体前面とショーケース本体内後部との間に回転可能に支持し、ガラス板６の下端９をショーケース本体の前後方向に配置したスライドガイド８に沿い前後方向にショーケース本体前面からショーケース本体内後部まで可動に支持する。」というショーケースが出願公開されている。
【特許文献１】特開２００５−２７８３７
【特許文献２】特開２００１−２８０７８２
【特許文献３】特開平１１−３４６８７８
【特許文献４】特開平１１−２４８３３７
【課題を解決するための手段】
【００１６】
請求項１に係る本発明のショーケースは、上記の目的を達成するために、映像再生装置により再生された映像信号に基づいて映像を映像表示装置で表示するとともに、前記映像再生装置により再生された音声信号に基づいて音声をスピーカから発生するショーケースにおいて、外部からの映像信号及び音声信号を入力するＡＶ入力端子と、前記映像再生装置又は前記ＡＶ入力端子から入力される信号を選択する入力切替スイッチと、前記映像再生装置又は前記ＡＶ入力端子から入力される信号のいずれか一つを外部へ出力するＡＶ出力端子とを具備し、前記入力切替スイッチが前記映像再生装置からの信号を選択した場合、前記映像表示装置は前記映像再生装置により再生された映像信号に基づいて映像を表示し及び前記スピーカは前記映像再生装置により再生された音声信号に基づいて音声を発生するとともに、前記ＡＶ出力端子は前記映像再生装置から入力された信号を外部へ出力する一方、前記入力切替スイッチが前記ＡＶ入力端子からの信号を選択した場合、前記映像表示装置は前記ＡＶ入力端子からの映像信号に基づいて映像を表示し及び前記スピーカは前記ＡＶ入力端子からの音声信号に基づいて音声を発生するとともに、前記ＡＶ出力端子は前記ＡＶ入力端子から入力された信号を外部へ出力することを特徴とする。
【００１７】
請求項２に係る本発明の展示システムは、主たるショーケースと従たるショーケースとからなる展示システムであって、前記主たるショーケース及び前記従たるショーケースは、映像再生装置により再生された映像信号に基づいて映像を映像表示装置で表示するとともに、前記映像再生装置により再生された音声信号に基づいて音声をスピーカから発生させ、外部からの映像信号及び音声信号を入力するＡＶ入力端子と、前記映像再生装置又は前記ＡＶ入力端子から入力される信号を選択する入力切替スイッチと、前記映像再生装置又は前記ＡＶ入力端子から入力される信号のいずれか一つを外部へ出力するＡＶ出力端子とを具備し、前記主たるショーケースのＡＶ出力端子と前記従たるショーケースのＡＶ入力端子とを信号線で接続した状態で、前記主たるショーケースの前記入力切替スイッチが前記映像再生装置からの信号を選択した場合、前記映像表示装置は前記映像再生装置により再生された映像信号に基づいて映像を表示し及び前記スピーカは前記映像再生装置により再生された音声信号に基づいて音声を発生するとともに、前記ＡＶ出力端子は前記映像再生装置から入力された信号を外部へ出力し、並びに、前記従たるショーケースの前記入力切替スイッチが前記ＡＶ入力端子からの信号を選択した場合、前記映像表示装置は前記ＡＶ入力端子からの映像信号に基づいて映像を表示し及び前記スピーカは前記ＡＶ入力端子からの音声信号に基づいて音声を発生するとともに、前記ＡＶ出力端子は前記ＡＶ入力端子から入力された信号を外部へ出力することにより、前記主たるショーケース及び前記従たるショーケースは同じ映像と音声を再生することを特徴とする。
【発明の効果】
【００１８】
本発明に係るショーケース及び展示システムによれば、前記入力切替スイッチが前記映像再生装置からの信号を選択した場合、前記映像表示装置は前記映像再生装置により再生された映像信号に基づいて映像を表示し及び前記スピーカは前記映像再生装置により再生された音声信号に基づいて音声を発生するとともに、前記ＡＶ出力端子は前記映像再生装置から入力された信号を外部へ出力する一方、前記入力切替スイッチが前記ＡＶ入力端子からの信号を選択した場合、前記映像表示装置は前記ＡＶ入力端子からの映像信号に基づいて映像を表示し及び前記スピーカは前記ＡＶ入力端子からの音声信号に基づいて音声を発生するとともに、前記ＡＶ出力端子は前記ＡＶ入力端子から入力された信号を外部へ出力する。従って、キャラクタ人形などを回転テーブルに載せ、プロモーションビデオを遊技ホールでデモンストレーションすることにより、遊技機の販促活動を容易に行うことが可能となる。
【００１９】
また、本発明に係るショーケース及び展示システムによれば、ショーケースを複数台接続して迫力ある同じ映像と音声を同時に発生させることが可能となる。
【発明を実施するための最良の形態】
【００２０】
以下、本発明に係るショーケースの実施の形態を図面と共に詳細に説明する。
【００２１】
図１は、本発明に係るショーケースの外観斜視図である。
【００２２】
１は、ショーケースであり、本体上部２、本体中央部３及び本体下部４に大別され、正面からだけではなく左右からも見やすいように前面が短く且つ背面が長い、並びに左側面及び右側面を二辺とする台形状となっている。
【００２３】
本体上部２は、その水平断面が前面側に短い台形箱型形状であって、ブラウン管を用いたディスプレイやＬＣＤ（液晶ディスプレイ）、ＰＤＰ（プラズマ・ディスプレイ・パネル）又は有機ＥＬ（有機エレクトロ・ルミネッセンス）等のＦＰＤ（フラット・パネル・ディスプレイ）で実現される３つの映像表示装置（左側面映像表示装置２ａ、前面映像表示装置２ｂ及び右側面映像表示装置２ｃ）が前面、左側面及び右側面に取り付けられており、ビデオＣＤ（コンパクトディスク）やＤＶＤ（デジタル・バーサタイル・ディスク又はデジタル・ビデオ・ディスク）などを再生するＤＶＤプレーヤ（映像再生装置）からの同じ映像を同時に３つ表示するようになっている。
【００２４】
また、本体上部２には、左上部スピーカ（図示せず）と右上部スピーカ（図示せず）で構成される上部スピーカが取り付けられており、左上部スピーカは本体上部２の左側面と前面とを跨ぐ様に、及び、右上部スピーカは本体上部２の右側面と前面とを跨ぐ様に設置されている。つまり、左上部スピーカは左側面映像表示装置２ａと前面映像表示装置２ｂとの間の角部に、また右上部スピーカは前面映像表示装置２ｂと右側面映像表示装置２ｃとの間の角部に設置されており、その前方にはスピーカからの音（音声）を通過させるための複数の抜穴２ｄが形成されている。なお、本体上部２の天板部２ｅは、映像表示装置及び上部スピーカの破損や回路系が故障した時の修理の為に、必要に応じて容易に上方向に取り外すことができるようになっている。
【００２５】
更に、本体上部２の底板（図示せず）下面には、丸く抜かれた照明取付穴（図示せず）が形成されており、後述する展示空間３ｅ内を照らす照明器具が下向きに取り付けられている。この照明器具としては、複数色で煌びやかに光るミラーボールや、一例として以下のものが採用される。
【００２６】
３波長域発光形(ＥＸ)：演色性と明るさを両立させたランプであり、人間の目の明るさを感じる度合いの高いところに光を分布させ、普及形よりも明るさを向上させている。光の３原色である青、赤、緑、の波長に光を強く発光させ、演色性を向上、色がくっきりときれいに再現できる。
【００２７】
ＨＦランプ：一般白色蛍光ランプに比べ１．５倍（高出力時）明るいランプであり、特に室内を明るくしたい場合などに効果が出る。
【００２８】
電球形蛍光ランプ：従来のシリカ電球、ボール電球に対応する蛍光ランプであり、ＯＮ／ＯＦＦ頻度の高い点滅繰り返しに強い商品もある。
【００２９】
グロー形ランプ：点灯管（グロー）を使用して点灯するタイプのランプである。
【００３０】
ラピッド形ランプ：点灯管（グロー）を必要としない即時点灯タイプのランプであり、ラピッドタイプの照明器具に使用される。
【００３１】
高演色形ランプ：演色性を高め、物体の色をより自然に再現するランプである。
【００３２】
ブラックライト：可視光線をほとんど放射せずに蛍光作用の強い近紫外線を効率よく放射するランプであり、各種鑑別、舞台,看板などの照明に使用される。
【００３３】
また、照明器具の色合いとしては、以下のものが採用される。
【００３４】
昼白色：白色で白さが引き立つ色であり、食品、食器、衣類など物の色を美しく自然にみせる。
【００３５】
白色：昼白色に比べるとやや黄味がかかった落ち着いた雰囲気の色。
【００３６】
温白色：照明空間を明るくかつ落ち着いた柔らかな雰囲気で満たす色。
【００３７】
昼光色：やや青味のある光色ですっきりとした白さを表現、洗練したイメージが得られる。
【００３８】
電球色：白熱電球のような暖かい光色が得られ、落ち着きと安らぎのある雰囲気をつくる。
【００３９】
本体中央部３は、内側に鏡面を持つ背面板３ａ、左側面透明パネル３ｂ、前面透明パネル３ｃ及び右側面透明パネル３ｄを台形（本体上部２と略同じ断面台形の形状）に組み合わせたものであり、その内部にはキャラクタ人形などのフィギュアやゲームパッケージを載置する為の展示空間３ｅが形成されている。なお、背面板３ａには、展示物を展示空間３ｅに挿入するための中央背面扉が設けられている。
【００４０】
本体下部４は、水平断面が本体上部２と略同じ前面側に短い台形箱型形状であり、中板４ａによって上本体下部４ｂ及び下本体下部４ｃの上下に仕切られている。
【００４１】
上本体下部４ｂの天板４ｄの裏面側には回転駆動装置（図示せず）が取り付けられており、その回転軸と展示空間３ｅ内に配置された回転テーブル４ｅの中心穴とが嵌合・固定されている。また、回転駆動装置は、遊技ホールの店員などのユーザがボリューム（図示せず）を調整して設定した任意の速度で、回転テーブル４ｅを一定に回転させることができる。この回転テーブル４ｅ及び天板４ｄは鏡面仕上げされており、更に背面板３ａ及び本体上部２の底板裏面も鏡面となっているので、これらが組み合わさってコの字型の反射鏡面を形成し、回転テーブル４ｅに載置され回転するフィギュアやゲームパッケージは、顧客や見物人に対してほぼ正面が見えるようになっている。その結果、デモンストレーション又は宣伝効果は絶大である。なお、この台形の形状は、前面短辺と側面各二辺の長さがほぼ等しく、台形を二つ併せると正六角形となり、点線で示した様に鏡面で反射すると実際に正六角形に見えるので、本願に係るショーケースを「ヘキサゴン」又は「ｈｅｘａｇｏｎ」（共に、商標登録出願予定）と称している。
【００４２】
中板４ａの中央部には、丸く抜かれたスピーカ取付穴が形成されており、下部スピーカがスピーカ取付穴を囲むようにして中板４ａの下側から上向きに取り付けられている。この上本体下部４ｂ内は回転駆動装置のみが設けられているだけであり、スピーカボックスのような比較的大きな音響増幅空間を形成しているので、下部スピーカから発生された音声信号は更に増幅され、複数の抜穴４ｆから前後左右に大音響として顧客や見物人に聴こえるので、迫力満点のデモンストレーション効果がある。
【００４３】
下本体下部４ｃは、前述したビデオＣＤやＤＶＤなどを再生するＤＶＤプレーヤ（映像再生装置）及び電源やアンプ類を格納するスペース（空間）であり、映像信号や音声信号を伝送する同軸ケーブルは背面を通って、本体上部２の映像表示装置２ａ、２ｂ、２ｃ及び２つの左上部スピーカに接続されている。なお、映像再生装置としてＤＶＤプレーヤを一例にして説明したが、従来のＶＣＲ（ビデオ・カセット・レコーダ）、ＬＤプレーヤ（レーザ・ディスク・プレーヤ）、ＭＤプレーヤ（ミニ・ディスク・プレーヤ）など同じ機能の再生装置であれば代替可能である。また、本体下部４の背面には、映像再生装置にＤＶＤを挿入するための下部背面扉が設けられており、更に本体下部４には搬送・運搬を容易にするために、キャスター４ｇが４つ取り付けられている。
【００４４】
ショーケース１は、基本的に樹脂素材を金型で一体成形又は切断加工した各パーツをネジや透明接着剤、両面テープ類で組み立てられるのであるが、意匠的な美的効果及び重厚感、高級感を出すために、本体上部２及び本体下部４は黒系色（黒〜グレー）で統一されている。また、樹脂素材を金型で一体成形する場合、成形の方法としては一般に、射出成形、押出成形、発泡成形や真空成形などが用いられる。
【００４５】
その樹脂材料としては、汎用樹脂であるABS（アクリロニトリル・ブタジエン・スチレン）、PE（ポリエチレン）、PP（ポリプロピレン）、PS（ポリスチレン）、エンプラのPA(ポリアミド[ナイロン])、PC(ポリカーボネート)、POM(ポリアセタール)、PPE(ポリフェニレンエーテル)、PET(ポリエチレンテレフタレート)、PBT(ポリブチレンテレフタレート)、PMMA(ポリメタクリル酸メチル)、スーパーエンプラのPPS(ポリフェニレンサルファイド)、LCP(液晶ポリマ)、PSF(ポリスルホン)、PES(ポリエーテルスルホン)、PAR(ポリアリレート)及び熱硬化性樹脂のフェノール樹脂、メラミン樹脂、エポキシ樹脂、不飽和ポリエステル樹脂、ポリウレタン、ユリア樹脂が用いられる。
【００４６】
更に、ショーケース１全体の高級感の創出やデザイン性の要求で独特の金属感を持たす必要がある場合には、通常のクロムめっき、ダーククロムめっき、本物の硬質金めっき、メタライジング（めっき）やサテン調（めっき）などを樹脂素材に付加し華やかさが演出される。
【００４７】
図２は、本発明に係るショーケースの分解斜視図である。
【００４８】
ショーケース１は、背面板３ａに本体上部２及び本体下部４が取り付けられた状態で、左側面透明パネル３ｂ、前面透明パネル３ｃ及び右側面透明パネル３ｄが矢印の方向に組み合わされ、本体上部２及び本体下部４の各面を繋ぐようにして透明接着剤で固定されている。なお、この組み合わせの際には、複数の抜穴２ｄ及び４ｆと各透明パネルに形成された複数の抜穴３ｆとの位置が同じになるように取り付けられる。
【００４９】
図３は、本発明に係るショーケースの外観斜視図である。
【００５０】
本体中央部３の背面板３ａは、上側の照明透明パネル部３ａ１と下側の鏡面部３ａ２とに分割されており、展示空間３ｅ内は鏡面部３ａ２で鏡面反射されるので、下半分が点線で示した様に顧客や見物人に見える。
【００５１】
照明透明パネル部３ａ１は、透明又は半透明のパネルであり、その背後には照明装置が取り付けられており、展示空間３ｅ内を幻想的に淡く燈す一方、強烈な光を前方に向けて照射することができるようになっている。また、商品説明やイメージイラストを描いた透過性のフィルムを付け替えることにより、展示商品に合わせて自由にデモンストレーション又は宣伝展開ができる（再利用性）。なお、この背面板３ａの構成は、本願発明の特徴の一つであり、新規性と進歩性を有するポイントでもある。
【００５２】
図４は、本発明に係るショーケースにおける本体上部２の外観斜視図及び平面図である。
【００５３】
本体上部２の天板部２ｅを図４（Ａ）の矢印で示す上方向に取り外し、上から内部を見た状態が図４（Ｂ）である。
【００５４】
本体上部２の左側面には映像表示装置２ａが、前面には映像表示装置２ｂが、及び右側面には映像表示装置２ｃが、それぞれ取り付けられている。
【００５５】
また、左上部スピーカ２ｆは本体上部２の左側面と前面とを跨ぐ様に、及び、右上部スピーカ２ｇは本体上部２の右側面と前面とを跨ぐ様に設置されている。
【００５６】
更に、本体上部２の底板２ｈの中央部には、丸く抜かれた照明取付穴２ｉが形成されており、展示空間３ｅ内を照らす照明器具２ｊが下向きに取り付けられている。なお、当然ながら本体上部２の内部には、映像表示装置、上部スピーカや照明器具２ｊの電源、電気回路系及びケーブル配線等が行われているが、本願発明と直接関係しないので省略している。
【００５７】
図５は、本発明に係るショーケースにおける本体下部４の外観斜視図及び背面一部断面図である。
【００５８】
本体下部４の下部背面扉を開け、図５（Ａ）の矢印で示す方向から本体下部４の内部を見た状態が図５（Ｂ）である。
【００５９】
本体下部４は、中板４ａによって上本体下部４ｂと下本体下部４ｃの上下に仕切られており、下本体下部４ｃの空間内には、前述した映像再生装置としてのＤＶＤプレーヤ４ｋや電源アンプ類及び同軸ケーブルなどが格納されている。なお、このＤＶＤプレーヤ４ｋは、リモコンにより外部から全ての操作を行うことができ、従来のＶＣＲ（ビデオ・カセット・レコーダ）も内蔵している。
【００６０】
また、上本体下部４ｂの天板４ｄの裏面側には、回転駆動装置４ｈが取り付けられている。この回転駆動装置４ｈの内部には、駆動モータ、変速ギアボックス、プーリ類、ベアリング及びタイミングベルト（駆動ベルト）などの駆動機構が納められ、最終的に駆動回転軸４ｉと回転テーブル４ｅの中心穴とが嵌合・固定されており、ボリューム調整により設定した速度で回転テーブル４ｅを回転させることができる。
【００６１】
スピーカ取付穴４ｊが中板４ａの中央部に形成されており、その下側から上向きにスピーカ取付穴４ｊを覆うようにして下部スピーカ４ｍが取り付けられている。この下部スピーカ４ｍから発生した音声信号は、上本体下部４ｂ内で増幅され、複数の抜穴４ｆから前方向と左右方向に向けて大音響の音楽や音声として放出される。
【００６２】
図６は、本発明に係るショーケースの外観斜視図である。
【００６３】
本体中央部３の背面板３ａには、２本の支柱３ｇが設けられており、図４で示した本体上部２と図５で示した本体下部４とを接続することにより、取り付けがより強固で且つ安定する。
【００６４】
支柱３ｇの表面には、背面板３ａと同様に鏡が貼着されており、展示物を反射するので美しく見える効果がある。また、支柱３ｇの内部には、本体上部２と本体下部４とを接続する各種配線やケーブルが通っており、ショーケース１からは配線が見えないので美観が保たれる。この支柱３ｇを設けた構成は、本願発明の特徴の一つであり、新規性と進歩性を有するポイントでもある。
【００６５】
図７は、本発明に係るショーケースの回路系のブロック図である。
【００６６】
ショーケース１の操作は、リモコン５によって全て行うことができる。例えば、映像再生装置４ｋ、回転駆動装置４ｈ及び照明器具２ｊの電源ＯＮ／ＯＦＦや再生操作、スピーカ音量、回転駆動装置４ｈの回転速度及び電子ボリューム４ｎなどの調整・切替操作を外部から行うことができる。
【００６７】
入力切替スイッチ６は、映像再生装置４ｋとＡＶ入力端子７のいずれかの信号を選択するスイッチであり、映像再生装置４ｋを選択すると自己の映像と音楽を、一方、ＡＶ入力端子７を選択すると他のショーケース１が再生している映像と音楽を同時に流すことができる。また、ＡＶ出力端子８は、入力切替スイッチ６で選択した方の信号を増幅して出力する。例えば、１台のショーケース１をマスター装置とし、同軸ケーブルでＡＶ出力端子８と他のショーケース１のＡＶ入力端子７を接続し、その接続を繰り返すことによりスレーブ装置とすれば、同じ映像と音楽を同期を取ったように再生することができるので、パチンコやパチスロ等の遊技ホールでデモンストレーションを容易に行うことができる。
【００６８】
映像再生装置４ｋからの映像信号は、入力切替スイッチ６を経由して、映像信号分配器９には入って３つに分配され、左側面映像表示装置２ａ、前面映像表示装置２ｂ及び右側面映像表示装置２ｃに入力される。
【００６９】
また、映像再生装置４ｋからの左右音声信号は、アンプで増幅されて、左上部スピーカ２ｆと右上部スピーカ２ｇに入力されるとともに、音声信号合成装置１０で合成されて下部スピーカ４ｍに入力される。
【００７０】
図８は、本発明に係るショーケースの接続概念図である。
【００７１】
左端の１つのショーケース１をマスター装置とし、直列的にスレーブ装置１〜スレーブ装置Ｎ（Ｎは任意の自然数）を同軸ケーブル１１でＡＶ出力端子８とＡＶ入力端子７を接続することにより、遊技ホールや展示会場でのデモンストレーションシステムを構築することができる。なお、入力切替スイッチ６は、マスター装置がＡＶ入力端子７とし、スレーブ装置がＡＶ出力端子８を選択すると、同じ映像と音楽を再生することができる。
【図面の簡単な説明】
【００７２】
【図１】本発明に係るショーケースの外観斜視図である。
【図２】本発明に係るショーケースの分解斜視図である。
【図３】本発明に係るショーケースの外観斜視図である。
【図４】本発明に係るショーケースにおける本体上部２の外観斜視図及び平面図である。
【図５】本発明に係るショーケースにおける本体下部４の外観斜視図及び背面一部断面図である。
【図６】本発明に係るショーケースの外観斜視図である。
【図７】本発明に係るショーケースの回路系のブロック図である。
【図８】本発明に係るショーケースの接続概念図である。
【符号の説明】
【００７３】
１        ショーケース
２        本体上部
２ａ      左側面映像表示装置
２ｂ      前面映像表示装置
２ｃ      右側面映像表示装置
２ｄ      抜穴
２ｅ      天板部
２ｆ      左上部スピーカ
２ｇ      右上部スピーカ
２ｈ      底板
２ｉ      照明取付穴
２ｊ      照明器具
３        本体中央部
３ａ      背面板
３ｂ      左側面透明パネル
３ｃ      前面透明パネル
３ｄ      右側面透明パネル
３ｅ      展示空間
３ｆ      抜穴
３ｇ      支柱
４        本体下部
４ａ      中板
４ｂ      上本体下部
４ｃ      下本体下部
４ｄ      天板
４ｅ      回転テーブル
４ｆ      抜穴
４ｇ      キャスター
４ｈ      回転駆動装置
４ｉ      駆動回転軸
４ｊ      スピーカ取付穴
４ｋ      映像再生装置
４ｍ      下部スピーカ
４ｎ      電子ボリューム
５        リモコン
６        入力切替スイッチ
７        ＡＶ入力端子
８        ＡＶ出力端子
９        映像信号分配器
１０      音声信号合成装置
１１      同軸ケーブル
【図１】
2006296786.tif 000003
【図２】
2006296786.tif 000004
【図３】
2006296786.tif 000005
【図４】
2006296786.tif 000006
【図５】
2006296786.tif 000007
【図６】
2006296786.tif 000008
【図７】
2006296786.tif 000009
【図８】
2006296786.tif 000010